(57)【要約】【課題】昼間などの照明を必要としない状態で鏡を使用するときに、発光部と対応する部分に写る像と、発光部と対応する以外の部分に写る像とが異ならず、また、色目も異ならない照明装置付き鏡を提供する。【解決手段】照明装置付き鏡としての手鏡１０は、透明基板２１と、透明基板２１上のほぼ全面に形成された透明導電層２２と、透明導電層２２の周縁部に絶縁溝２３を介して区画形成された透明な透明電極２２ａとを備えている。透明導電層２２の全面及び絶縁溝２３と対応する部分上に有機ＥＬ層２４が形成され、有機ＥＬ層２４上に鏡面状の金属電極２５が形成されている。金属電極２５より外側に有機ＥＬ層２４を保護する絶縁性の保護膜２６が設けられている。【選択図】      図１
2005173036.tif 000002
【特許請求の範囲】
【請求項１】
発光部と非発光部とを備え、当該非発光部は常時鏡として機能し、前記発光部は非発光時には鏡として機能する照明装置付き鏡であって、
前記発光部及び前記非発光部はともに、透明基板と、当該透明基板のほぼ全面上に順に積層された透明導電層と有機ＥＬ層と鏡面状の電極層とから構成され、
前記透明導電層は、絶縁溝により前記透明基板の周縁部に位置する透明電極と、それ以外の部分の非電極部とに区画されており、
前記発光部は、前記透明電極と、前記有機ＥＬ層及び前記電極層のうち前記透明電極に対応する位置にある部分とによって構成されており、
前記非発光部は、前記非電極部と、前記有機ＥＬ層及び前記電極層のうち前記非電極部に対応する部分とによって構成されており、
前記絶縁溝の前記透明電極側の側面が前記有機ＥＬ層によって覆われており、
前記電極層より外側に形成され、透明導電層、前記有機ＥＬ層及び前記電極層を保護する絶縁性の保護膜を有する
ことを特徴とする照明装置付き鏡。
【請求項２】
発光部と非発光部とを備え、当該非発光部は常時鏡として機能し、前記発光部は非発光時には鏡として機能する照明装置付き鏡であって、
前記発光部及び前記非発光部はともに、透明基板と、当該透明基板のほぼ全面上に順に積層された透明導電層と有機ＥＬ層と鏡面状の電極層とから構成され、
前記透明導電層は、絶縁溝により前記透明基板の周縁部に位置する透明電極と、それ以外の部分の非電極部とに区画されており、
前記発光部は、前記透明電極と、前記有機ＥＬ層及び前記電極層のうち前記透明電極に対応する位置にある部分とによって構成されており、
前記非発光部は、前記非電極部と、前記有機ＥＬ層及び前記電極層のうち前記非電極部に対応する部分とによって構成されており、
前記絶縁溝には透明絶縁部材が充填されており、
前記電極層より外側に形成され、前記透明導電層、前記有機ＥＬ層及び前記電極層を保護する絶縁性の保護膜を有する
ことを特徴とする照明装置付き鏡。
【請求項３】
前記絶縁溝は、断面形状が前記透明基板の反対側ほど幅が広がる形状に形成されている請求項１又は請求項２に記載の照明装置付き鏡。
【請求項４】
前記絶縁溝は、前記透明基板上に前記透明導電層を形成した後、該透明導電層の一部を切除することによって形成されたものである請求項１から請求項３のいずれか一項に記載の照明装置付き鏡。
【請求項５】
前記絶縁溝は、最大幅が０．１μｍ〜１０μｍである請求項１から請求項４のいずれか一項に記載の照明装置付き鏡。
【請求項６】
前記有機ＥＬ層は、白色発光を行うように構成されている請求項１から請求項５のいずれか一項に記載の照明装置付き鏡。
【請求項７】
前記照明装置付き鏡は手鏡である請求項１から請求項６のいずれか一項に記載の照明装置付き鏡。
【請求項８】
前記照明装置付き鏡は自動車のバニティーミラーである請求項１から請求項６のいずれか一項に記載の照明装置付き鏡。
【発明の詳細な説明】
【技術分野】
【０００１】
本発明は、照明装置付き鏡に関する。
【背景技術】
【０００２】
従来、暗い場所で蛍光灯などを用いないで鏡を使用することができる照明装置付き鏡として、鏡の周りに発光素子を配設して、暗いときなどには発光素子を発光させることにより外部の照明を用いないで鏡を使用できる照明装置付き鏡があった（例えば、特許文献１参照。）。
【０００３】
特許文献１には、図８に示すように、鏡として利用される部分５１と、発光部５２とに分かれている自発光鏡５０が開示されている。自発光鏡５０は、ガラス板５３上の一部に透明電極５４が形成され、ガラス板５３及び透明電極５４上にガラス板５３の全面に対応して有機化合物層（有機ＥＬ層）５５が形成され、有機ＥＬ層５５上にガラス板５３の全面に対応して金属電極５６が形成されている。
【０００４】
また、図９に示すように、ガラス板５３上のほぼ全面に透明電極５４が形成され、透明電極５４上の鏡として利用される部分５１上にレジスト５７が形成され、レジスト５７上にガラス板５３の全面に対応して有機ＥＬ層５５が形成され、有機ＥＬ層５５上にガラス板５３の全面に対応して金属電極５６が形成されている自発光鏡６０が開示されている。
【特許文献１】特開２０００−４１８０７号公報（請求項４、明細書の段落［００２０］，［００２１］、図５（Ｂ）、図６（Ｂ））
【発明の開示】
【発明が解決しようとする課題】
【０００５】
ところが、特許文献１に記載の自発光鏡５０，６０の構成では、どちらの構成においても鏡として利用している部分５１と発光部５２に形成されている層が異なる。前者の自発光鏡５０の場合は、鏡として利用する部分５１には、ガラス板５３上に有機ＥＬ層５５と、金属電極５６とが順に形成されている。そして、発光部５２には、ガラス板５３上に透明電極５４、有機ＥＬ層５５及び金属電極５６が順に形成されている。
【０００６】
また、後者の自発光鏡６０の場合は、鏡として利用する部分５１には、透明電極５４、レジスト５７、有機ＥＬ層５５及び金属電極５６が順に形成されている。そして、発光部６２には、ガラス板５３上に透明電極５４、有機ＥＬ層５５及び金属電極５６が順に形成されている。
【０００７】
前者の自発光鏡５０の場合は、ガラスの屈折率が約１．４５〜１．５くらいに対して、透明電極５４及び有機ＥＬ層５５の屈折率は、約１．８〜１．９くらいとガラスに比べて非常に高い。従って、発光部が発光しない状態で鏡として使用する際、透明電極及び発光層が存在する部分と、透明電極５４が存在しない部分とで、鏡に写る像の状態が異なり、特に、色目が異なってくる。
【０００８】
また、後者の自発光鏡６０の場合は、ガラス板５３から入射した光が、透明電極５４と、金属電極５６との間に配設された有機ＥＬ層５５及びレジスト５７を透過して、再び発光部５２及びレジスト５７を透過してガラス板５３から出射される。発光部５２及びレジスト５７の屈折率がほぼ同じであれば、発光部５２と対応する部分に写る像と、レジスト５７に対応する部分に写る像とがほとんど変わらない。しかし、レジスト５７と透明電極５４及び有機ＥＬ層５５とでは屈折率が異なるため、発光部５２と対応する部分に写る像と、レジスト５７に対応する部分に写る像とが異なる状態となる。
【０００９】
本発明はこのような従来技術に存在する問題点に着目してなされたものである。その目的とするところは、昼間などの照明を必要としない状態で鏡を使用する場合に、発光部と対応する部分に写る像と、発光部と対応する以外の部分に写る像とが異ならず、また、色目も同じに見える照明装置付き鏡を提供することにある。
【課題を解決するための手段】
【００１０】
上記の目的を達成するために、請求項１に記載の発明は、発光部と非発光部とを備え、当該非発光部は常時鏡として機能し、前記発光部は非発光時には鏡として機能する照明装置付き鏡において、前記発光部及び前記非発光部をともに、透明基板と、当該透明基板のほぼ全面上に順に積層された透明導電層と有機ＥＬ層と鏡面状の電極層とで構成する。前記透明導電層は、絶縁溝により前記透明基板の周縁部に位置する透明電極と、それ以外の部分である非電極部とに区画されており、前記発光部を、前記透明電極と、前記有機ＥＬ層及び前記電極層のうち前記透明電極に対応する位置にある部分とにより構成し、前記非発光部は、前記非電極部と、前記有機ＥＬ層及び前記電極層のうち前記非電極部に対応する部分とにより構成する。前記絶縁溝の前記透明電極側の側面を前記有機ＥＬ層によって覆い、前記電極層より外側に絶縁性の保護膜を形成して、前記透明電極、前記有機ＥＬ層及び前記電極層を保護する。なお、この明細書で「透明」とは少なくとも可視光透過性であることを意味する。
【００１１】
この発明では、発光部と非発光部とを有し、必要に応じて発光部を発光させることができるとともに、発光部は非発光時には鏡として利用できる。従って、明るい場所では発光部を発光させず、より広い鏡として使用でき、暗い場所では発光部を発光させることにより、照明装置付きの鏡として使用できる。
【００１２】
また、透明基板上のほぼ全面に透明導電層と有機ＥＬ層が形成されている。従って、透明基板から入射して、鏡面状の電極層で反射して再び透明基板から出射する光は、発光部と非発光部とで、共に透明導電層及び有機ＥＬ層を透過して、同じ条件で出射する。その結果、昼間などの照明を必要としない場合には発光部と対応する部分に写る像と、非電極部と対応する部分に写る像とが異ならず、色目も同じに見える。
【００１３】
請求項２に記載の発明は、発光部と非発光部とを備え、当該非発光部は常時鏡として機能し前記発光部は非発光時には鏡として機能する照明装置付き鏡において、前記発光部及び前記非発光部をともに、透明基板と、当該透明基板のほぼ全面上に順に積層された透明導電層と有機ＥＬ層と鏡面状の電極層とで構成する。前記透明導電層は、絶縁溝により前記透明基板の周縁部に位置する透明電極と、それ以外の部分である非電極部とに区画されており、前記発光部を、前記透明電極と、前記有機ＥＬ層及び前記電極層のうち前記透明電極に対応する位置にある部分とにより構成し、前記非発光部は、前記非電極部と、前記有機ＥＬ層及び前記電極層のうち前記非電極部に対応する部分とにより構成する。前記絶縁溝に透明の絶縁部材を充填し、前記電極層より外側に絶縁性の保護膜を形成して、前記透明電極、前記有機ＥＬ層及び前記電極層を保護する。
【００１４】
従って、この発明も、請求項１に記載の発明と同様の効果を有する。
請求項３に記載の発明は、請求項１又は請求項２に記載の発明において、絶縁溝は、断面形状が透明基板の反対側ほど幅が広がる形状に形成されている。ここで「反対側ほど幅が広がる」とは、マクロ的に見た場合に透明基板の反対側ほど広がっていることを意味する。
【００１５】
請求項４に記載の発明は、請求項１から請求項３のいずれか一項に記載の発明において、絶縁溝は、透明基板上に透明導電層を形成した後、透明導電層の一部を切除することによって形成されたものである。ここで「切除」とは、工具を用いて切削加工することや、レーザー加工により除去することを意味する。
【００１６】
この発明では、絶縁溝が工具を用いて切削加工で形成されたり、レーザー加工により形成されているため、エッチングで絶縁溝を形成する場合に比較して、透明電極と透明電極以外の透明導電層との境目に簡単に前記透明基板と反対側ほど幅が広がる形状の絶縁溝を形成することができる。
【００１７】
請求項５に記載の発明は、請求項１から請求項４のいずれか一項に記載の発明において、絶縁溝の最大幅を０．１μｍ〜１０μｍとする。最大幅が０．１μｍ〜１０μｍである溝は肉眼では認識できない細さであるため、昼間などの照明を必要でないときに普通の鏡として使用する際に、絶縁溝が線として認識されることがない。
【００１８】
請求項６に記載の発明は、請求項１から請求項５のいずれか一項に記載の発明において、有機ＥＬ層は、白色発光を行うように構成されている。この発明では、白色発光を用いることで自然な色を識別できる。
【００１９】
請求項７に記載の発明は、請求項１から請求項６のいずれか一項に記載の発明において、照明装置付き鏡は手鏡である。この明細書で「手鏡」とは、化粧用コンパクトミラー、携帯用の折りたたみ鏡、携帯用の小物（エチケットプラシ）用の鏡などの携帯用として用いることができる小型の鏡のことをいう。この発明では、手鏡において請求項１から請求項６のいずれか一項に記載の発明と同様な作用効果を奏する。
【００２０】
請求項８に記載の発明は、請求項１から請求項６のいずれか一項に記載の発明において、照明装置付き鏡は自動車のバニティーミラーである。ここで、「自動車のバニティーミラー」とは、自動車のサンバイザーの裏側に設けられた鏡を意味する。この発明では、自動車のバニティーミラーにおいて請求項１から請求項６のいずれか一項に記載の発明と同様な作用効果を奏する。
【発明の効果】
【００２１】
本発明によれば、周囲が暗い状況では発光部を発光させて照明装置付きの鏡として使用でき、昼間などの照明を必要としないときに鏡を使用する場合は、発光部と非発光部とで鏡に写る像が異ならず、色目も同じに見える。
【発明を実施するための最良の形態】
【００２２】
（第１の実施形態）
以下、本発明を携帯用の鏡（手鏡）に具体化した第１の実施形態を、図１及び図２に従って説明する。図１は手鏡の模式断面図であり、図２は手鏡の模式斜視図である。
【００２３】
図２に示すように、照明装置付き鏡としての手鏡１０は、扁平な矩形状のケース１１内に鏡本体部１２が収容されている。ケース１１は、収容部１１ａと、収容部１１ａにヒンジ（図示せず）により開閉可能に支持された蓋部１１ｂとを備え、鏡本体部１２は、収容部１１ａに嵌合された状態で収容されている。蓋部１１ｂは２７０°以上回動可能に構成され、図２に示す、開いた状態において、蓋部１１ｂを支持プレートとして収容部１１ａが後方に傾斜した状態で保持可能に構成されている。
【００２４】
鏡本体部１２は、矩形状の非発光部１３と、発光部１４とを備えている。発光部１４は、昼間などの照明が必要でない場合は鏡として機能し、夜などの照明が必要な場合は照明装置として機能する。この実施形態では、発光部１４は図２の状態において非発光部１３の上辺と下辺の２辺に沿った位置に設けられている。発光部１４は有機ＥＬ素子で構成され、ケース１１には発光部１４を駆動する電源１５が装備されている。なお、図２では便宜上、電源１５をケース１１外に図示している。電源１５としては、例えばボタン電池やシート電池が使用される。また、ケース１１には発光部１４を駆動するスイッチ（図示せず）が装備されている。
【００２５】
次に、鏡本体部１２について詳述する。図１に示すように、鏡本体部１２は、透明基板２１上のほぼ全面に透明導電層２２が形成されており、透明導電層２２は透明電極２２ａとして区画された部分と、それ以外の部分である非電極部２２ｂとからなる。透明電極２２ａは、透明導電層２２の周縁部に絶縁溝２３を介して区画形成されている。即ち、透明電極２２ａと非電極部２２ｂは電気的に絶縁されている。
【００２６】
有機ＥＬ層２４は、透明導電層２２の全面及び絶縁溝２３と対応する部分上に切れ目なく形成され、有機ＥＬ層２４上に電極層としての金属電極２５が形成されている。金属電極２５は、鏡面状に形成されている。そして、金属電極２５より外側に、透明電極２２ａ、有機ＥＬ層２４及び金属電極２５を酸素及び水分から保護する保護膜２６が形成されている。透明電極２２ａ、有機ＥＬ層２４及び金属電極２５が発光部１４としての有機ＥＬ素子を構成している。この実施形態では透明電極２２ａが陽極を構成し、金属電極２５が陰極を構成する。有機ＥＬ素子は、有機ＥＬ層２４の発光が透明基板２１側から取り出される（出射される）所謂ボトムエミッションタイプに構成されている。
【００２７】
透明導電層２２は透明導電材で形成され、この実施形態では透明導電材としてＩＴＯ（インジウム錫酸化物）が使用されている。
絶縁溝２３は、透明導電層２２を透明電極２２ａと非電極部２２ｂとに区画するために設けられている。絶縁溝２３は、その最大幅が人間の目（肉眼）では確認することができないくらいの細さ、例えば０．１μｍ〜１０μｍ以下であることが好ましい。この実施形態では、絶縁溝２３の断面形状が透明基板２１と反対側ほど幅が広がるほぼＶ字状に形成されており、絶縁溝２３の両側面の傾斜面が左右均等に形成されている。Ｖ字状の絶縁溝２３は、透明基板２１上に透明導電層２２を形成した後に、例えば、ダイヤモンドカッターなどの刃先の断面がＶ字状の工具を用いたり、レーザー加工により、透明導電層２２を切除することによって形成されている。なお、絶縁溝２３の両側面は断面形状がマクロ的に見て直線になるように形成されている。
【００２８】
有機ＥＬ層２４には公知の構成のものが使用され、例えば、透明導電層２２側から順に正孔注入層、発光層及び電子注入層の３層あるいは正孔注入層、正孔輸送層、発光層及び電子輸送層の４層で構成されている。有機ＥＬ層２４は白色発光を行うように構成されている。白色発光として演色性の良い、平均演色評価数（Ra）が８０以上のものが好ましい。平均演色評価数（Ra）とは、ものがどれだけ自然な色に見えるかという程度を数値に表したものである。
【００２９】
金属電極２５は鏡の光反射面と、有機ＥＬ層２４に電圧を加えるための電極の役割とを有する。金属電極２５を形成する材料として光に対する反射性を有している金属が使用され、例えば、アルミニウム（アルミニウム合金を含む）や銀（銀合金を含む）などが使用されている。
【００３０】
保護膜２６は、透明導電層２２、有機ＥＬ層２４及び金属電極２５のお互いに隣接する面以外の部分を覆うように形成されている。保護膜２６は、少なくとも水分（水蒸気）及び酸素の透過を抑制する機能を有する材料で形成され、保護膜２６の材料としては、例えば、酸化ケイ素、窒化ケイ素、ポリシラザン等が使用される。
【００３１】
なお、図１では模式的に各部を示しており、実際は透明基板２１（例えば、ガラス板）の厚さが０．３ｍｍ〜２ｍｍ程度に対して、透明導電層２２（透明電極２２ａ、非電極部２２ｂ）、有機ＥＬ層２４及び金属電極２５の厚さは、数十〜１０００ｎｍ程度である。また、保護膜２６の厚さは、透明電極２２ａ、非電極部２２ｂ、有機ＥＬ層２４及び金属電極２５の厚さ以上に形成されている。また、絶縁溝２３の幅が前記のように１０μｍ以下に対して、透明電極２２ａ等の幅は数ｍｍ〜２０ｍｍ程度である。なお、この実施形態では、透明導電層２２は有機ＥＬ層２４に比べて数倍の厚さに形成されている。
【００３２】
次に前記のように構成された手鏡１０の作用を説明する。
手鏡１０は、外観は照明装置の付いていない手鏡とほとんど変わらない。昼間などの照明を必要としないときは、従来の照明装置の付いていない普通の鏡として機能し、夜などの照明が必要なときは、透明電極２２ａと金属電極２５との間に電圧が印加され、発光部１４を構成する透明電極２２ａに対応する部分の有機ＥＬ層２４が発光する。
【００３３】
また、照明装置を備えた従来技術の鏡とは異なり、透明基板２１上のほぼ全面に透明導電層２２が形成され、その全面に有機ＥＬ層２４が形成されている。そのため、透明基板２１から入射して、金属電極２５で反射して再び透明基板２１から出射する光は、発光部１４となる部分と、それ以外の部分である非発光部１３とで、共に透明導電層２２及び有機ＥＬ層２４を透過して、同じ条件で出射する。従って、昼間などの照明を必要としない場合には発光部１４と対応する部分に写る像と、非発光部１３に写る像とが異ならず、色目も同じに見える。
【００３４】
また、絶縁溝２３があるために夜などの照明が必要なときは透明電極２２ａ部分に対応する有機ＥＬ層２４部分が発光を行い、非電極部２２ｂ部分に対応する有機ＥＬ層２４部分は発光を行わず鏡として利用することができる。また、昼間などの周りが明るく照明が必要ないときは、絶縁溝２３の幅が人間の目では認識することができないくらいの細さであるため、絶縁溝２３を線として認識されることなく金属電極２５が形成されている部分全体を鏡として利用することができる。
【００３５】
ここで透明導電層２２を透明電極２２ａと非電極部２２ｂとに区画するとともに、透明電極２２ａを非電極部２２ｂから切り離すための絶縁溝２３における透明電極２２ａ側の側面が透明基板２１に対してほぼ垂直となる場合は、金属電極２５と透明電極２２ａとの間のリークを防止することが難しい。なぜならば、通常、有機ＥＬ層２４は蒸着によって形成されるため、透明基板２１にほぼ垂直な絶縁溝２３の透明電極２２ａ側の側面に蒸着し難く、該側面の透明基板２１から遠い部分に有機ＥＬ層２４が形成されない場合がある。その結果、有機ＥＬ層２４上に金属電極２５を形成した際に、絶縁溝２３において、金属電極２５が透明電極２２ａと接触する状態となり、金属電極２５と透明電極２２ａとの間のリークが発生する。
【００３６】
透明導電層２２をエッチングすることで絶縁溝２３を形成した場合は、絶縁溝２３の側面が透明基板２１に対してほぼ垂直になる。しかし、この実施形態では、絶縁溝２３はダイヤモンドカッターなどの工具により加工したり、レーザー加工によりほぼＶ字状に形成されている。そのため、絶縁溝２３の透明電極２２ａ側の側面を覆うように有機ＥＬ層２４を形成することが容易になる。従って、金属電極２５と透明電極２２ａとの間には必ず絶縁層として機能する有機ＥＬ層２４が存在する状態となり、金属電極２５と透明電極２２ａとの間のリークが防止される。
【００３７】
この実施の形態では以下の効果を有する。
（１）透明基板２１上のほぼ全面に透明導電層２２が形成され、透明導電層２２の全面及び絶縁溝２３と対応する部分上に切れ目なく有機ＥＬ層２４が形成されている。従って、昼間などの周囲が明るく照明を必要としない場合には、非電極部２２ｂと対応する非発光部１３に写し出される像と、透明電極２２ａに対応する発光部１４に写し出される像とが異ならず、色目も異ならずに鏡として有効に利用できる面積を大きくできる。
【００３８】
（２）透明基板２１と反対側ほど幅が広がるほぼＶ字状の絶縁溝２３で透明電極２２ａと非電極部２２ｂとが絶縁されている。従って、絶縁溝２３の透明電極２２ａ側の側面を覆うように有機ＥＬ層２４を形成することが容易になり、絶縁層として機能する有機ＥＬ層２４上に形成されている金属電極２５と、透明電極２２ａとの間のリークを防ぐことができる。
【００３９】
（３）透明基板２１に透明導電層２２を形成後、透明導電層をダイヤモンドカッターなどの工具を用いたり、レーザー加工によって切除することにより、透明基板２１と反対側ほど幅が広がるほぼＶ字状の絶縁溝２３を簡単に作ることができる。
【００４０】
（４）絶縁溝の幅が人間の目では認識することができない０．１μｍ〜１０μｍで構成されている。従って、昼間などの照明を使用せずに鏡として使用するときは、絶縁溝２３が線として使用者に認識されないため見た目がよくなる。
【００４１】
（５）有機ＥＬ層２４が白色発光を行うように構成されているために他の色の発光を用いた場合に比べて周囲の色を識別することが容易になる。
（６）白色発光として演色性の良い、平均演色評価数（Ra）が８０以上のものが使用されているため、ものの色が自然色に近い色で見える。
【００４２】
（７）発光部１４が非発光部１３の周囲全体に設けられるのではなく、矩形状の非発光部１３の対向する二辺（上辺と下辺）に沿って設けられている。この場合、有機ＥＬ素子から発光される光は、広い指向性を有しているため、発光部１４が非発光部１３の周囲全体に設けられていなくても、周囲全体に設けられている場合と同様の効果をもたらすことができる。また、鏡に映る顔の影を作り難くすることができる。
【００４３】
（８）手鏡に適応することにより、手鏡において（１）〜（７）の効果を奏する。
（第２の実施形態）
次に第２の実施形態を図３に従って説明する。この実施形態では絶縁溝２３の部分の構成が前記第１の実施形態と異なり、その他の構成は同じである。第１の実施形態と実質上同一部分は同一の符号を付してその詳しい説明を省略する。
【００４４】
この実施形態では、絶縁溝２３の断面形状がＶ字状ではなく、絶縁溝２３の両側面が透明基板２１に対してほぼ垂直に形成されるとともに、絶縁溝２３内に透明絶縁部材２７が充填されている。例えば、透明絶縁部材２７は絶縁溝２３から一部がはみ出す状態で充填されている。有機ＥＬ層２４は絶縁溝２３からはみ出した透明絶縁部材２７を覆うように形成されている。透明絶縁部材２７の材質としては、ＩＴＯの屈折率と屈折率が同じくらいのものが好ましい。また、透明絶縁部材２７は例えばインクジェット方式で充填される。
【００４５】
この第２の実施形態によれば、第１の実施形態の（１）、（４）〜（８）と同様の効果を有する他に次の効果を有する。
（９）透明導電層２２を透明電極２２ａと、非電極部２２ｂとに区画している絶縁溝２３に透明絶縁部材２７が充填されている。従って、透明絶縁部材２７が充填されない構成に比較して、絶縁溝２３の断面形状に関係なく有機ＥＬ層２４を透明電極２２ａから非電極部２２ｂに切れ目なく形成することが容易になる。そのため、透明電極２２ａと金属電極２５とのリークを防止することができる。また、有機ＥＬ層２４が部分的に切れていても透明絶縁部材２７が絶縁溝２３に充填されているため透明絶縁部材２７により透明電極２２ａと金属電極２５とのリークを防止することができる。
【００４６】
（１０）透明導電層２２の屈折率と透明絶縁部材２７の屈折率とがほぼ等しいので、昼間などの周囲が明るく照明を必要としない場合には、透明導電層２２と対応する非発光部１３に写し出される像と、透明絶縁部材２７に対応する部分に写し出される像とが異ならず、色目も異ならずに鏡として有効に利用できる面積を大きくできる。
【００４７】
（第３の実施形態）
次に第３の実施形態を図７に従って説明する。この実施形態では絶縁溝２３の形状が前記第１の実施形態と異なる。第１の実施形態と実質上同一部分は同一の符号を付してその詳しい説明を省略する。
【００４８】
この実施形態では、絶縁溝２３の断面形状がＶ字状ではなく、絶縁溝２３の透明電極２２ａ側の側面が斜面を有しており、非電極部２２ｂ側の側面が透明基板２１に対してほぼ垂直に形成されている。
【００４９】
有機ＥＬ層２４は、発光部１４と対応する部分と、非発光部１３と対応する部分とで不連続になる可能性があるが、透明電極２２ａを覆うように有機ＥＬ層２４が形成されるため透明電極２２ａと金属電極２５とのリークを防止することができる。
【００５０】
この第３の実施形態でも、第１の実施形態の（１）、（４）〜（８）と同様の効果を得ることができる。
実施形態は前記に限定されるものではなく、例えば、次のように具体化してもよい。
【００５１】
○  図４に示すように、照明装置付き鏡を自動車のサンバイザー３１に取り付けられているバニティーミラー３２に適用してもよい。バニティーミラー３２を構成する照明装置付き鏡の鏡本体部１２は、第１の実施形態と同様に非発光部１３と、発光部１４とを備えている。この実施形態ではバニティーミラー３２は横長に形成されているため、発光部１４が非発光部１３の左右両側に設けられている。また、有機ＥＬ層２４を発光させるための電源は自動車のバッテリから供給される。
【００５２】
この場合、第１の実施形態の（１）〜（７）及び第２の実施形態の（９）、（１０）と同様の作用効果を奏する。
○  バニティーミラー３２は、図４に示すようなサンバイザー３１の一部を占める大きさに限らず、例えば、サンバイザー３１の裏面ほぼ全体を占める大きさであってもよい。
【００５３】
○  照明装置付き鏡は、手鏡、バニティーミラー３２に限らず、他の鏡に適用してもよく、大きさも携帯に適したものに限らず、洗面所の鏡や姿見などの面積の広い鏡に適用してもよい。
【００５４】
○  照明装置付き鏡の形状は矩形状に限らず、正方形や他の四角形、三角形、五角形以上の多角形、円形、楕円形など、任意の形状に形成してもよい。
○  発光部１４を構成する透明電極２２ａの位置は、透明導電層２２の周縁部であればよく、矩形状の非発光部１３の二辺に沿った位置に限らない。例えば、一辺に沿った位置や三辺に沿った位置あるいは全周縁部に形成してもよい。また、非発光部１３の形状に対応して、非発光部１３の周縁部の任意の箇所に形成してもよい。  
【００５５】
○  有機ＥＬ層２４の発光色は、平均演色評価数（Ra）が８０以上の白色である必要はなく、平均演色評価数（Ra）が８０未満のものでもよい。
○  有機ＥＬ層２４の発光色は白色である必要はなく、例えば青、赤などの色を用いて意匠を凝らしたものでもよい。この場合、使用者が自分の顔や姿を見るための鏡ではなく、ディスプレイ用の鏡に適している。
【００５６】
○  発光部１４全体が一色で発光する構成に限らず、部分的に異なる色（例えば青、赤など）の発光を行うように意匠を凝らしたものでもよい。
○  有機ＥＬ層２４は、発光層のみの単層構成、または正孔注入層、正孔輸送層、正孔注入輸送層、正孔阻止層、電子注入層、電子輸送層、電子阻止層の一層以上と、発光層とが積層された多層構成のいずれであってもよい。
【００５７】
○  透明電極２２ａと非電極部２２ｂとの間の絶縁溝２３は、透明絶縁部材２７を充填しない構成においても必ずしもＶ字状である必要はない。例えば、図５に示すように、絶縁溝２３の側壁が透明基板２１にほぼ垂直であってもよい。このような場合でも、有機ＥＬ層２４の厚さが透明導電層２２の厚さより厚ければ、有機ＥＬ層２４で透明導電層２２の全面及び絶縁溝２３と対応する部分を覆うことができ、金属電極２５と透明電極２２ａとのリークを防止することができる。また、有機ＥＬ層２４を蒸着で行う場合に、蒸着方向を透明基板２１にほぼ垂直な方向からだけでなく、透明基板２１に対して斜め方向からも行うことにより、絶縁溝２３の側壁に有機ＥＬ層２４を蒸着させることができる。
【００５８】
○  絶縁溝２３の断面形状が透明基板２１と反対側ほど広がる形状とは、該絶縁溝２３の側面である傾斜面が左右均等である必要はなく、透明電極２２ａ側の断面形状が傾斜面を有し、透明電極２２ａ側の傾斜面に有機ＥＬ層２４を積層できればよい。図６に示すように絶縁溝２３の透明電極２２ａ側の傾斜面が長く、非電極部２２ｂ側の傾斜面が短いほぼレ字状に近い形状であってもよい。
【００５９】
○  実施形態では、絶縁溝２３の両側面の断面形状は、マクロ的に見て直線であればよく、ミクロ的に見て凹凸を有していてもよい。
○  実施形態では、絶縁溝２３の両側面の断面形状はマクロ的に見て直線であるが、直線に限らず、曲線になっていてもよい。
【００６０】
○  第２の実施形態において絶縁溝２３はその側面が透明基板２１に対してほぼ垂直のため、工具で削る加工やレーザー加工に限らず、エッチングによる加工でも形成できる。
○  透明絶縁部材２７は、絶縁溝２３を完全に埋める必要はなく、少なくとも、有機ＥＬ層２４を形成する際、絶縁溝２３と対応する位置で有機ＥＬ層２４が切れ目なく透明導電層２２の全面を覆うように形成することができる程度埋まっていればよい。また、インクジェット方式以外の方法で透明絶縁部材２７を充填してもよい。
【００６１】
○  第２の実施形態において透明絶縁部材２７が透明電極２２ａよりも厚く形成されていること等によって、透明絶縁部材２７により透明電極２２ａと金属電極２５が完全に絶縁されている場合は、有機ＥＬ層２４に多少切れ目があってもよい。
【００６２】
○  絶縁溝２３の断面形状がほぼＶ字状の場合に、絶縁溝２３内に透明絶縁部材２７を充填してもよい。
○  透明導電層２２の材質はＩＴＯに限らず、酸化亜鉛を用いてもよい。また、透明導電層２２を導電性を有する透明な材質ではなく、極薄い金属層で透明に構成してもよい。極薄いとは５０ｎｍ以下を意味し、０．５〜２０ｎｍの範囲が好ましい。
【００６３】
○  透明絶縁部材２７は、人の目（肉眼）では認識できない細さで形成された絶縁溝２３を埋めるためのものであるため、透明導電層２２の材質と屈折率の異なるものを用いても、透明絶縁部材２７と対応する部分に写し出される像と、それ以外の部分に写し出される像とで写し出される像の違いを認識できない。そのため、透明絶縁部材２７は、透明導電層２２の材質と屈折率の異なるものを用いてもよい。
【００６４】
○  電極層としての金属電極２５を反射性の金属で形成せずに透明導電材で形成するとともに、該透明導電材の有機ＥＬ層２４と反対側の面に反射性の層を形成してもよい。この場合も、有機ＥＬ層２４が発光しない状態では、有機ＥＬ層２４と対応する部分全面が鏡として機能する。
【００６５】
○  透明基板２１側に設けられる透明電極２２ａを陰極とし、金属電極２５を陽極としてもよい。しかし、透明電極２２ａを透明導電材で形成する場合は、仕事関数の関係から陽極とするのが好ましい。
【００６６】
○  透明基板２１の材質はガラスに限らず、透明であればよく、例えば、樹脂などであってもよい。
以下の技術的思想（発明）は、前記実施形態から把握できる。
【００６７】
（１）請求項４に記載の発明において、前記有機ＥＬ層は、演色評価数が８０以上の白色発光を行う。
【図面の簡単な説明】
【００６８】
【図１】第１の実施形態の主要部の模式断面図。
【図２】第１の実施形態の模式斜視図。
【図３】第２の実施形態の模式断面図。
【図４】別の実施形態の模式平面図。
【図５】別の実施形態の模式断面図。
【図６】別の実施形態の模式断面図。
【図７】第３の実施形態の模式断面図。
【図８】従来技術の自発光鏡の模式断面図。
【図９】従来技術の自発光鏡の模式断面図。
【符号の説明】
【００６９】
１０…照明装置付き鏡としての手鏡、１３…非発光部、１４…発光部、２１…透明基板、２２…透明導電層、２２ａ…透明電極、２２ｂ…非電極部、２３…絶縁溝、２４…有機ＥＬ層、２５…電極層としての金属電極、２６…保護膜、２７…透明絶縁部材、３２…バニティーミラー。
【図１】
2005173036.tif 000003
【図２】
2005173036.tif 000004
【図３】
2005173036.tif 000005
【図４】
2005173036.tif 000006
【図５】
2005173036.tif 000007
【図６】
2005173036.tif 000008
【図７】
2005173036.tif 000009
【図８】
2005173036.tif 000010
【図９】
2005173036.tif 000011